(57)【要約】【課題】主に各種電子機器の照光に使用される導光シートに関し、安価に製作が行え、見易い照光が可能なものを提供することを目的とする。【解決手段】光透過性の基材１１の上面全面に複数の凹凸部１２を形成すると共に、所定の凹凸部１２上面に光透過性のレジスト層１３を設けることによって、基材１１の上面全面に凹凸部１２を形成し、発光させる箇所以外をレジスト層１３で覆うことで、成型用の金型等を用いず、簡易に製作が行えると共に、光漏れ等がなく、見易い照光が可能な導光シートを得ることができる。【選択図】図１
2014154464.tif 000002
【特許請求の範囲】
【請求項１】
光透過性の基材と、この基材の上面全面に形成された複数の凹凸部からなり、所定の上記凹凸部上面に光透過性のレジスト層を設けた導光シート。
【発明の詳細な説明】
【技術分野】
【０００１】
本発明は、主に各種電子機器の照光に用いられる導光シートに関するものである。
【背景技術】
【０００２】
近年、各種電子機器、特に電子手帳や腕時計等の携帯機器においては、周囲が暗い場合でも、文字や記号、図形等の表示が見易いように、発光ダイオード等の光を導光シートによって照光するものが増えており、これらの機器に用いられる導光シートにも、安価で見易い照光を行えるものが求められている。
【０００３】
このような従来の導光シートについて、図４を用いて説明する。
【０００４】
なお、この図面は構成を判り易くするために、部分的に寸法を拡大して表している。
【０００５】
図４は従来の導光シートの断面図であり、同図において、１はフィルム状または板状で光透過性の基材で、この基材１下面の所定箇所には、複数の凹凸部２が設けられて、導光シート３が形成されている。
【０００６】
また、このように構成された導光シート３の下方には、電子ペーパーや文字盤等の表示板４が配置されると共に、側方には発光ダイオード等の発光素子５が、基材１の端面に発光面を向けて配置されて、電子手帳や腕時計等の機器の表示部に装着される。
【０００７】
以上の構成において、機器の電子回路（図示せず）から発光素子５に電源が供給されると、発光素子５が発光し、この光が右端面から導光シート３内に入射して、基材１内を反射しながら左内方へ進む。
【０００８】
そして、この光が基材１下面の複数の凹凸部２で拡散反射し、複数の凹凸部２が発光して、下方の表示板４を上方から照光することによって、周囲が暗い場合でも、表示板４の文字や記号等の表示を容易に識別できるようになっている。
【０００９】
つまり、側方の発光素子５の光を端面から導光シート３内に導入し、複数の凹凸部２を発光させることによって、表示板４の文字や記号等の表示を照光するように構成されているものであった。
【００１０】
なお、この出願の発明に関連する先行技術文献情報としては、例えば、特許文献１が知られている。
【先行技術文献】
【特許文献】
【００１１】
【特許文献１】特開２０１１−１６５４１７号公報
【発明の概要】
【発明が解決しようとする課題】
【００１２】
しかしながら、上記従来の導光シートにおいては、基材１下面に複数の凹凸部２が形成された導光シート３を、金型によって成型して製作しているため、凹凸部２の位置や大きさの異なるものを製作するには、その都度新たに高価な金型を作製する必要があり、安価に導光シートを製作することが困難であるという課題があった。
【００１３】
本発明は、このような従来の課題を解決するものであり、安価に製作が行え、見易い照光が可能な導光シートを提供することを目的とする。
【課題を解決するための手段】
【００１４】
上記目的を達成するために本発明は、光透過性の基材の上面全面に複数の凹凸部を形成すると共に、所定の凹凸部上面に光透過性のレジスト層を設けて導光シートを構成したものであり、基材の上面全面に凹凸部を形成し、発光させる箇所以外をレジスト層で覆うことで、成型用の金型等を用いず、簡易に製作が行えると共に、光漏れ等がなく、見易い照光が可能な導光シートを得ることができるという作用を有するものである。
【発明の効果】
【００１５】
以上のように本発明によれば、安価に製作が行え、見易い照光が可能な導光シートを実現することができるという有利な効果が得られる。
【図面の簡単な説明】
【００１６】
【図１】本発明の一実施の形態による導光シートの断面図
【図２】同断面図
【図３】同断面図
【図４】従来の導光シートの断面図
【発明を実施するための形態】
【００１７】
以下、本発明の実施の形態について、図１〜図３を用いて説明する。
【００１８】
なお、これらの図面は構成を判り易くするために、部分的に寸法を拡大して表している。
【００１９】
（実施の形態）
図１は本発明の一実施の形態による導光シートの断面図であり、同図において、１１はポリカーボネートやポリエチレンテレフタレート、ポリシクロオレフィン等のフィルム状、またはアクリル等の板状で、屈折率が１．５〜１．６前後の光透過性の基材で、上面全面には複数の凹凸部１２が形成されている。
【００２０】
そして、この凹凸部１２上面の所定箇所には、アクリレートやメタクリレート等の、屈折率が１．５前後の光透過性の複数のレジスト層１３が、下面の凹凸部１２を覆うように形成されて、導光シート１４が構成されている。
【００２１】
また、以上のような導光シート１４を製作するには、先ず、図２（ａ）の断面図に示すように、外周に帯状の複数の凹凸部１５Ａが形成された円柱状のローレット１５を、基材１１上面に圧接させ、常温または加熱しながらローレット１５を回転して、基材１１上面全面に複数の凹凸部１２を形成する。
【００２２】
次に、図２（ｂ）に示すように、この凹凸部１２上面にドライフィルムや液状レジストを塗布した後、乾燥して、凹凸部１２上面全面に光透過性のレジスト層１３Ａを形成する。
【００２３】
そして、図２（ｃ）に示すように、レジスト層１３を形成する以外の箇所を、パターンフィルム１６でマスキングし、紫外線を照射して、パターンフィルム１６から露出した箇所のレジスト層１３Ａを硬化させて、複数のレジスト層１３を露光形成する。
【００２４】
さらに、この後、図２（ｄ）に示すように、パターンフィルム１６を外し、これを炭酸ナトリウム等の水溶液に浸漬して洗浄して、硬化していない不要な箇所のレジスト層１３Ａを溶解除去し、複数のレジスト層１３を現像して、図１に示したような、基材１１の上面全面に凹凸部１２が設けられ、所定の凹凸部１２上面にレジスト層１３が形成された導光シート１４が完成する。
【００２５】
つまり、成型用の金型等を用いず、凹凸部１２を形成するためのローレット１５や、パターンフィルム１６による露光・現像等によって、導光シート１４の製作を行っているため、凹凸部１２やレジスト層１３の位置や大きさの異なるものを製作する場合でも、比較的安価なパターンフィルム１６のみを作製するだけで、簡易に製作が可能なようになっている。
【００２６】
そして、このように構成された導光シート１４が、図３の断面図に示すように、基材１１下面を上側にして電子手帳や腕時計等の機器の表示部に装着されると共に、導光シート１４の下方には、電子ペーパーや文字盤等の表示板１７が、側方には発光ダイオード等の発光素子１８が、基材１１の端面に発光面を向けて配置される。
【００２７】
以上の構成において、機器の電子回路（図示せず）から発光素子１８に電源が供給されると、発光素子１８が発光し、この光が右端面から導光シート１４内に入射して、基材１１内を反射しながら左内方へ進む。
【００２８】
そして、この光が基材１１下面の複数の凹凸部１２で拡散反射し、複数の凹凸部１２が発光して、下方の表示板１７を上方から照光することによって、周囲が暗い場合でも、表示板１７の文字や記号等の表示を容易に識別できるようになっている。
【００２９】
つまり、側方の発光素子１８の光を端面から導光シート１４内に導入し、複数の凹凸部１２を発光させることによって、表示板１７の文字や記号等の表示を照光するように構成されている。
【００３０】
また、この時、導光シート１４内に入射した光は基材１１上面、及び凹凸部１２とレジスト層１３の界面を通ってレジスト層１３下面で、反射しながら左内方へ進むが、凹凸部１２は屈折率が１．５〜１．６前後、レジスト層１３は屈折率が１．５前後に形成されているため、凹凸部１２とレジスト層１３の界面では光の拡散反射が生じにくいようになっている。
【００３１】
すなわち、凹凸部１２とレジスト層１３の屈折率差を０．３以下、好ましくは０．１以下に形成することで、基材１１上面とレジスト層１３下面で反射しながら左内方へ進む光が、凹凸部１２とレジスト層１３の界面、つまり発光させる必要のない、レジスト層１３が形成された箇所で拡散反射することを防ぎ、レジスト層１３から露出した凹凸部１２のみが発光して、光漏れ等のない、見易い照光が行われるように構成されている。
【００３２】
さらに、レジスト層１３から露出した複数の凹凸部１２の各々の面積を、発光素子１８に近く、入射した光も強い右方のものは小さく、発光素子１８から離れ、光が弱まる左方のものほど大きく形成することによって、複数の凹凸部１２の明るさのばらつきを防ぎ、表示板１７全面にわたって均一な照光が可能なように形成されている。
【００３３】
そして、本発明においては、基材１１の上面全面に複数の凹凸部１２を形成すると共に、発光させる箇所以外の凹凸部１２上面をレジスト層１３で覆うことで、成型用の金型等を用いず、ローレット１５によるローレット加工や、パターンフィルム１６による露光・現像等によって、簡易に製作が行えるようになっている。
【００３４】
つまり、基材上面の発光させる箇所にのみ凹凸部を形成するのではなく、ローレット加工によって基材１１の上面全面に凹凸部１２を形成し、発光させる箇所以外の凹凸部１２をレジスト層１３で覆うことによって、凹凸部１２やレジスト層１３の位置や大きさの異なるものを製作する場合でも、パターンフィルム１６のみを作製するだけで、簡易で安価に製作が可能なように構成されている。
【００３５】
なお、以上の説明では、ローレット加工によって基材１１の上面全面に、複数の凹凸部１２を均等に形成した構成について説明したが、砂や粒状の研削材を吹き付けるサンドブラスト加工や、サンドペーパーによる研磨加工等によって、基材１１の上面全面に凹凸部１２を形成すれば、さらに安価に製作することが可能となる。
【００３６】
このように本実施の形態によれば、光透過性の基材１１の上面全面に複数の凹凸部１２を形成すると共に、所定の凹凸部１２上面に光透過性のレジスト層１３を設けることによって、基材１１の上面全面に凹凸部１２を形成し、発光させる箇所以外をレジスト層１３で覆うことで、成型用の金型等を用いず、簡易に製作が行えると共に、光漏れ等がなく、見易い照光が可能な導光シートを得ることができるものである。
【産業上の利用可能性】
【００３７】
本発明による導光シートは、安価に製作が行え、見易い照光が可能なものを得ることができるという有利な効果を有し、主に各種電子機器の照光用として有用である。
【符号の説明】
【００３８】
１１  基材
１２  凹凸部
１３、１３Ａ  レジスト層
１４  導光シート
１５  ローレット
１５Ａ  凹凸部
１６  パターンフィルム
１７  表示板
１８  発光素子
【図１】
2014154464.tif 000003
【図２】
2014154464.tif 000004
【図３】
2014154464.tif 000005
【図４】
2014154464.tif 000006